(57)【特許請求の範囲】
【請求項１】
Ｗｅｂページへのアクセスをコントロールするための情報フィルタが用いるＵＲＬリストに追加する新たなＵＲＬリストを作成する情報フィルタ用ＵＲＬリスト拡張方法であって、
リンク情報抽出部で、ＨＴＭＬ文書を保存したＨＴＭＬ文書ベースの各文書内に出現するリンク先のＵＲＬを抽出し、各文書毎にＵＲＬリストを作成し、リンク情報ベースに格納する第１のステップと、
共起状態解析部で、アクセスコントロール対象のサンプルとしてあらかじめ用意した基本ＵＲＬリスト中のＵＲＬおよび追加ＵＲＬ一時保存メモリ中のＵＲＬが、リンク情報ベース中の各文書毎のＵＲＬリスト中に、あらかじめ設定された個数以上存在するかどうか調べ、存在する場合は、抽出したＵＲＬのリスト中の、基本ＵＲＬリスト中のＵＲＬおよび前記追加ＵＲＬ一時保存メモリ中のＵＲＬ以外のＵＲＬに対して、基本ＵＲＬリストに記録されているＵＲＬの評価値と追加ＵＲＬ一時保存メモリに記録されているＵＲＬの評価値に基づいて評価値を算出し、ＵＲＬとともに評価値を共起情報メモリに格納する第２のステップと、
追加ＵＲＬ決定部で、前記共起情報メモリ内のＵＲＬに対する評価値をあらかじめ設定した閾値と比較することにより、追加候補となるＵＲＬを決定し、前記追加ＵＲＬ一時保存メモリを更新する第３のステップと、
前記第２のステップと前記第３のステップの処理があらかじめ終了条件として設定した回数行われたかどうかを判定し、行われていない場合は、前記第２のステップに戻る第４のステップと、
追加ＵＲＬリスト生成部で、前記追加ＵＲＬ一時保存メモリを参照し、予め設定しておいた閾値以上の評価値を持つＵＲＬを選び、リストを生成し、追加ＵＲＬリストに保存する第５のステップを有する情報フィルタ用ＵＲＬリスト拡張方法。
【請求項２】
Ｗｅｂページへのアクセスをコントロールするための情報フィルタが用いるＵＲＬリストに追加する新たなＵＲＬリストを作成する情報フィルタ用ＵＲＬリスト拡張装置であって、
ＨＴＭＬ文書を保存したＨＴＭＬ文書ベースと、
ＨＴＭＬ文書ベースに保存されているＨＴＭＬ文書中の各文書毎に出現するリンク先のＵＲＬを抽出するリンク情報抽出部と、
前記リンク情報抽出部が抽出した、各文書毎のリンク先のＵＲＬであるＵＲＬリストを保存するリンク情報ベースと、
アクセスコントロール対象とするＷｅｂページのサンプルＵＲＬを記述した基本ＵＲＬリストと、
追加ＵＲＬ候補のＵＲＬとその候補としての評価値を記録する追加ＵＲＬ一時保存メモリと、
前記リンク情報ベースから前記文書毎のＵＲＬリストを１つずつ取り出し、該ＵＲＬリストに、前記基本ＵＲＬリストおよび前記追加ＵＲＬ一時保存メモリ中のＵＲＬがあらかじめ設定した個数以上存在するか否かを判定し、存在する場合は、前記リンク情報ベースから取り出したＵＲＬリスト中の他の各ＵＲＬに対して、基本ＵＲＬリストに記録されているＵＲＬの評価値と追加ＵＲＬ一時保存メモリに記録されているＵＲＬの評価値に基づいて評価値をつける共起状態解析部と、
前記共起状態解析部の解析した、ＵＲＬとその評価値の情報を保存する共起情報メモリと、
前記共起情報メモリを参照し、あらかじめ設定された閾値以上の評価値を持つＵＲＬをその評価値とともに前記追加ＵＲＬ一時保存メモリに保存する追加ＵＲＬ決定部と、
最終的に追加するＵＲＬのリストを生成する追加ＵＲＬリスト生成部と、最終的に追加するＵＲＬのリストを保存する追加ＵＲＬリストを有する情報フィルタ用ＵＲＬリスト拡張装置。
【請求項３】
請求項１記載の方法をコンピュータに実行させるための情報フィルタ用ＵＲＬリスト拡張プログラム。
【請求項４】
請求項１記載の情報フィルタ用ＵＲＬリスト拡張方法をコンピュータに実行させるための情報フィルタ用ＵＲＬリスト拡張プログラムを記録した記録媒体。
【発明の詳細な説明】
【０００１】
【発明の属する技術分野】
本発明は、コンピュータを用いたＷｅｂページへのアクセスをコントロールするための情報フィルタが用いるＵＲＬリストに追加される新たなＵＲＬ（Uniform Resource Locator）リストを作成する情報フィルタ用ＵＲＬリスト拡張方法および装置に関する。
【０００２】
【従来の技術】
近年のインターネットの発達で、多数のＷｅｂページへのアクセスが容易になった。その反面、目的のページを効率的に見つけるのが困難であるという問題がある。また、一方で、インターネット上の情報には、多種多用なものが存在するため、子供がインターネットを使用する場合、不適切な情報にアクセスしないようにするためのアクセス制限が求められている。このように、見たい情報のみに効率的にアクセスしたり、見たくない、見せたくない情報へのアクセスを制限するための技術が求められている。見たいものを探すための技術としては、キーワードによる検索を可能とする検索サイトや、あらかじめＷｅｂページを階層的に分類したディレクトリサービスが存在している。一方、情報へのアクセスを制限するための技術としては、あらかじめアクセスを制限するＵＲＬリストを作成し、そのリスト上のＵＲＬへのアクセスを禁止する方法、Ｗｅｂページ作成者が自主的に付与した分野とその表現内容の程度に基づいてアクセスを禁止する方法、キーワードリストとＷｅｂページの内容を比較してアクセスを制限する方法などがある。
【０００３】
【発明が解決しようとする課題】
しかしながら、上記の方法には、それぞれ以下のような問題がある。
【０００４】
まず、検索サイトの場合は、入力する適切なキーワードを選ぶことが困難なため、うまく目的のページにたどりつけない場合がある。また、ディレクトリサービスに関しては、サービス提供者が提供するディレクトリの構成が、使用者の求めるものと必ずしも一致しないという問題がある。また、ディレクトリは基本的に人手で作成しているため、ディレクトリに登録されているページは、全体のページのごく一部である上、適切に更新されていない場合が多い。
【０００５】
アクセス制限に関しても、アクセスを制限するＵＲＬリストを用いる方法では、やはり人手で作成しているために、十分なリストを作成したり、適切に更新したりすることは困難である。また、Ｗｅｂページ作成者が付与した分野と表現の程度を用いる方法では、そもそも分野や表現の程度の情報が付与されていないページの方が多いため、十分なアクセス制限ができない。また、キーワードリストを用いる方法では、適切なキーワードリストを作成することが困難である。
【０００６】
本発明の目的は、上記の問題を解決し、特定の目的のページのリストやアクセス制限をしたいページのリストを作成することを容易にする情報フィルタ用ＵＲＬリスト拡張方法および装置を提供することにある。
【０００７】
【課題を解決するための手段】
本発明の情報フィルタ用ＵＲＬリスト拡張装置は、ＨＴＭＬ文書ベースとリンク情報抽出部とリンク情報ベースと基本ＵＲＬリストと共起状態解析部と共起情報メモリと追加ＵＲＬ決定部と追加ＵＲＬ一時保存メモリと追加ＵＲＬリスト生成部と追加ＵＲＬリストを有する。
【０００８】
リンク情報抽出部は、ＨＴＭＬ文書ベースからＨＴＭＬ文書を取り出し、そのＨＴＭＬ文書を解析し、文書中のハイパーリンク先のＵＲＬのリストを作成し、リンク情報ベースに保存する。
【０００９】
共起状態解析部は、リンク情報ベースからＵＲＬリストを１つずつ取りだし、該ＵＲＬリストに基本ＵＲＬリスト中のＵＲＬがあらかじめ設定された個数以上存在するか否かを判定し、存在する場合は、ある評価式に従って、リンク情報ベースから取り出したＵＲＬリスト中の他の各ＵＲＬに対して評価値をつけ、その結果を共起情報メモリに保存する。
【００１０】
追加ＵＲＬ決定部は、共起情報メモリ内の各ＵＲＬに対する評価値を参照し、あらかじめ設定された閾値以上の評価値を持つＵＲＬをその評価値と共に、追加ＵＲＬ一時保存メモリに保存する。
【００１１】
共起状態解析部は、再び、リンク情報ベースからＵＲＬリストを１つずつ取りだし、該ＵＲＬリストに基本ＵＲＬリスト中のＵＲＬあるいは追加ＵＲＬ一時保存メモリ中のＵＲＬがあらかじめ設定した個数以上存在するか否かを判定し、存在する場合は、ある評価式に従って、リンク情報ベースから取り出したＵＲＬリスト中の他の各ＵＲＬに対して評価値をつけ、その結果を共起情報メモリに保存する。
【００１２】
追加ＵＲＬ決定部は、共起情報メモリ内の各ＵＲＬに対する評価値を参照し、あらかじめ設定された閾値以上の評価値を持つＵＲＬをその評価値と共に追加ＵＲＬ一時保存メモリに記録し、追加ＵＲＬ一時保存メモリを更新する。
【００１３】
この追加ＵＲＬ決定部による追加ＵＲＬ一時保存メモリの更新と、共起状態解析部による各ＵＲＬへの評価値の付与を、あらかじめ定めた回数繰り返した後、追加ＵＲＬリスト生成部は、追加ＵＲＬ一時保存メモリ内の各ＵＲＬに対する評価値を参照し、あらかじめ設定された閾値以上の評価値を持つＵＲＬのリストを生成し、追加ＵＲＬリストに出力する。
【００１４】
本発明は、人手で作成した特定の目的のページのサンプルとなるＵＲＬのリストあるいは、アクセス制限をしたいページのサンプルとなるＵＲＬリストを元に、ロボット等で収集した大量のＨＴＭＬ文書のリンク情報を解析し、上記リスト中のＵＲＬとの共起関係を利用することによって、ＵＲＬリストに追加する新たなＵＲＬリストを自動的に作成する。
【００１５】
この自動的に生成された新たなＵＲＬリストと、もともと人手で作成したＵＲＬのリストを用いることによって、この２つのリスト中のＵＲＬのみにアクセスしたり、逆にこの２つのリスト中のＵＲＬへのアクセスを制限することによって、目的に応じたアクセスコントロールが可能となる。
【００１６】
また、本発明では、利用するＨＴＭＬ文書を定期的に更新することにより、ＨＴＭＬ文書内に新たなＵＲＬが出現することが期待できるため、新たに出現したページのＵＲＬを自動的に追加することが可能となる。
【００１７】
【発明の実施の形態】
次に、本発明の実施の形態について図面を参照して説明する。
【００１８】
図１を参照すると、本発明の一実施形態の情報フィルタ用ＵＲＬリスト拡張装置は、ＨＴＭＬ文書ベース１とリンク情報抽出部２とリンク情報ベース３と基本ＵＲＬリスト４と共起状態解析部５と共起情報メモリ６と追加ＵＲＬ決定部７と追加ＵＲＬ一時保存メモリ８と追加ＵＲＬリスト生成部９と追加ＵＲＬリスト１０で構成されている。
【００１９】
ＨＴＭＬ文書ベース１は、ロボット等で収集したインターネット上の大量のＨＴＭＬ文書を保存している。リンク情報抽出部２は、ＨＴＭＬ文書ベース１中の各ＨＴＭＬ文書を解析し、ＨＴＭＬ文書毎のハイパーリンク先のＵＲＬのリストを作成し、リンク情報ベース３に保存する。リンク情報ベース３は、リンク情報抽出部２が作成したＨＴＭＬ文書毎のハイパーリンク先のＵＲＬのリストを保存している。基本ＵＲＬリスト４は、人手であらかじめ作成された特定の目的のページのサンプルとなるＵＲＬのリスト、あるいはアクセス制限をしたいページのサンプルとなるＵＲＬのリストを保存している。共起状態解析部５は、リンク情報ベース３からＵＲＬリストを１つずつ取りだし、基本ＵＲＬリスト４中のＵＲＬあるいは追加ＵＲＬ一時保存メモリ８中のＵＲＬがあらかじめ設定した個数以上存在するか否かを判定し、存在する場合は、ある評価式に従って、リンク情報ベース３から取り出したＵＲＬリスト中の各ＵＲＬに対して評価値をつけ、その結果を共起情報メモリ６に保存する。共起情報メモリ６は、共起状態解析部５が取り出したＵＲＬとその評価値を保存する。追加ＵＲＬ決定部７は、共起情報メモリ６内の各ＵＲＬに対する評価値を参照し、あらかじめ設定された閾値以上の評価値を持つＵＲＬをその評価値と共に、追加ＵＲＬ一時保存メモリ８に記録する。追加ＵＲＬ一時保存メモリ８は、追加ＵＲＬ決定部７が決定したＵＲＬをその評価値と共に保存する。追加ＵＲＬリスト生成部９は、追加ＵＲＬ一時保存メモリ８内の各ＵＲＬに対する評価値を参照し、あらかじめ設定された閾値以上の評価値を持つＵＲＬのリストを生成し、追加ＵＲＬリスト１０に出力する。追加ＵＲＬリスト１０は、追加ＵＲＬリスト生成部９が生成した追加ＵＲＬのリストを保存する。
【００２０】
図２はＨＴＭＬ文書ベース１中のＨＴＭＬ文書の一例を示している。
【００２１】
図３はリンク情報ベース３中のＵＲＬリストの一例を示している。ＨＴＭＬ文書中から抽出したリンク先のＵＲＬを１行に１つ書いたものであり、１ＨＴＭＬ文書に対して１つ存在する。
【００２２】
図４は基本ＵＲＬリスト４中のＵＲＬリスト例の一部を示している。フィルタリング結果として残したい目的のページのサンプルとなるＵＲＬあるいは、規制対象としたいページのサンプルとなるＵＲＬを１行に１つ書いたものである。
【００２３】
図５は共起情報メモリ６中のＵＲＬとその評価値のリスト例の一部を示している。ＵＲＬとその評価値の組で表現してある。追加ＵＲＬ一時保存メモリ８中のＵＲＬとその評価値のリストも同様の形式となる。
【００２４】
図６は追加ＵＲＬリスト１０中のＵＲＬリストの例の一部を示している。最終的に追加することになるＵＲＬを１行に１つ書いたものである。
【００２５】
次に、本情報フィルタ用ＵＲＬリスト拡張装置の動作概要について、図７に示すフローチャートをもとに説明する。
【００２６】
ステップ１０１に、リンク情報抽出部２は、ＨＴＭＬ文書ベース１中の各文書を解析し、各文書毎にリンク先のＵＲＬのリストを作成し、リンク情報ベース３に格納する。
【００２７】
ステップ１０２に、共起状態解析部４は、基本ＵＲＬリスト４中のＵＲＬあるいは追加ＵＲＬ一時保存メモリ８中のＵＲＬがリンク情報ベース３中の各文書毎のＵＲＬリスト中にどのくらい含まれているかを調べ、各ＵＲＬに対して評価値を設定し、共起情報メモリ５に格納する。
【００２８】
ステップ１０３に、追加ＵＲＬ決定部７は、共起情報メモリ５中の各ＵＲＬの評価値を、あらかじめ設定しておいた閾値と比較して、追加ＵＲＬ候補を決定し、追加ＵＲＬ一時保存メモリ８を更新する。
【００２９】
ステップ１０４に、追加ＵＲＬ決定部７は、ステップ１０２、ステップ１０３の処理をあらかじめ設定された回数、実行したか否かを判定する。まだ、実行していない場合は、ステップ１０２へ、実行している場合は、ステップ１０５へ処理が進む。
【００３０】
ステップ１０５に、追加ＵＲＬリスト生成部９は、追加ＵＲＬ一時保存メモリ８を参照し、あらかじめ設定しておいた閾値以上の評価値を持つＵＲＬを選び、リストを生成し、追加ＵＲＬリスト１０に保存する。
【００３１】
次に、本情報フィルタ用ＵＲＬリスト拡張装置の動作の詳細について、図８に示すフローチャートをもとに説明する。
【００３２】
まず、上記ステップ１０１の動作を詳細に説明すると、以下のステップ２０１から２０３のようになる。ステップ２０１に、リンク情報抽出部２が、ＨＴＭＬ文書ベース１より図２に示すようなＨＴＭＬ文書を１つ取り出す。ステップ２０２に、リンク情報抽出部２は、取り出したＨＴＭＬ文書を解析し、〈ＡＨＲＥＦ＝を利用することにより、そのＨＴＭＬ文書のリンク先のＵＲＬを抽出し、抽出したＵＲＬのリストを図３に示すような形式でリンク情報ベース３に保存する。ステップ２０３に、ＨＴＭＬ文書ベース１中に未処理のＨＴＭＬ文書が存在するかどうか判定する。存在する場合は、ステップ２０１へ、すべてのＨＴＭＬ文書について処理を終えた場合は、ステップ２０４に進む。この時点でＨＴＭＬ文書ベース１中の全てのＨＴＭＬ文書からリンク先のＵＲＬの情報を抽出したことになる。
【００３３】
次に、上記ステップ１０２の動作を詳細に説明すると、以下のステップ２０４から２０７のようになる。ステップ２０４に、共起状態解析部５は、リンク情報ベース３よりＵＲＬリストを１つ取り出す。ステップ２０５に、共起状態解析部５は、図４に示すような形式で基本ＵＲＬリスト４内に記録されているＵＲＬか、図５に示すような形式で追加ＵＲＬ一時保存メモリ８内に記録されているＵＲＬが、ステップ２０４で取り出したＵＲＬリスト中に、あらかじめ設定した数以上含まれているか否かを判定する。含まれていない場合は、ステップ２０４へ、含まれている場合はステップ２０６へ進む。
【００３４】
あらかじめ設定した数以上のＵＲＬが含まれている場合、そのＵＲＬリストの抽出元であるＨＴＭＬ文書は、基本ＵＲＬリスト４中のＵＲＬと類似のＵＲＬを集めたリンク集的なものと判断し、同一文書中に出現する他のＵＲＬは、基本ＵＲＬリスト４中のＵＲＬを持つサイトと類似のサイトであるとし、追加ＵＲＬの候補とする。
【００３５】
ステップ２０６に、共起状態解析部５は、ステップ２０４で取り出したＵＲＬリスト中のＵＲＬのうち、基本ＵＲＬリスト４および追加ＵＲＬ一時保存メモリ８に含まれないＵＲＬについて評価値を算出する。ｉ番目のＵＲＬであるＵＲＬｉのこの時点での評価値Ｃi,jは、たとえば、次の式で与える。
【００３６】
【数１】
0003977632.tif 000002
ここで、添字ｊは、ここで処理するＵＲＬリストが、基本ＵＲＬリスト４内に記録されているＵＲＬか、追加ＵＲＬ一時保存メモリ８内に記録されているＵＲＬをあらかじめ設定した数以上含み、かつ、ＵＲＬｉを含むｊ個目のＵＲＬリストであることを表す。また、各ＵＲＬの評価値の初期値Ｃi,0は０とする。Ｖkは、各ＵＲＬの評価値で、基本ＵＲＬリスト４内のＵＲＬに対しては１、追加ＵＲＬ一時保存メモリ８内のＵＲＬについては、追加ＵＲＬ一時保存メモリ８内に記録されている評価値、それ以外のＵＲＬについては０とする。ｎは、処理中のＵＲＬリスト内のＵＲＬの数とする。
【００３７】
ステップ２０７に、リンク情報ベース３中に未処理のＵＲＬリストが存在するかどうか判定する。存在する場合は、ステップ２０４へ、すべてのＵＲＬリストについて処理を終えた場合は、アクセス２０８に処理が進む。
【００３８】
次に、上記ステップ１０３の動作を詳細に説明すると、以下のステップ２０８から２０９のようになる。
【００３９】
ステップ２０８に、追加ＵＲＬ決定部７は、各ＵＲＬの評価値の正規化を行った後、あらかじめ設定された閾値と比較して、追加ＵＲＬを決定する。ＵＲＬｉの正規化後の評価値Ｖiは、例えば次の式で与えられる。
【００４０】
【数２】
0003977632.tif 000003
ここで、Ｎは、基本ＵＲＬリスト４内に記録されているＵＲＬか、追加ＵＲＬ一時保存メモリ８内に記録されているＵＲＬをあらかじめ設定した数以上含み、かつ、ＵＲＬｉを含むＵＲＬリストの個数である。
【００４１】
ステップ２０９に、追加ＵＲＬ決定部７は、ステップ２０８で決定した追加ＵＲＬをその評価値と共に追加ＵＲＬ一時保存メモリ８に追加し、追加ＵＲＬ一時保存メモリ８を更新する。
【００４２】
このステップ２０４から２０９でＨＴＭＬ文書集合から抽出したＵＲＬリストをもとに追加ＵＲＬ候補を決定する１回の処理を終了したことになる。
【００４３】
次に、上記ステップ１０４の動作は、以下のステップ２１０に対応する。
【００４４】
ステップ２１０に、追加ＵＲＬ決定部７は、指定回数の処理を行ったか否かを判定する。行っていない場合は、ステップ２０４へ、行った場合は、ステップ２１１へ処理が進む。
【００４５】
次に、上記ステップ１０５の動作は、以下のステップ２１１に対応する。
【００４６】
ステップ２１１に、追加ＵＲＬリスト生成部９は、追加ＵＲＬ一時保存メモリ８を参照し、あらかじめ設定しておいた閾値以上のＵＲＬを選び、追加ＵＲＬリスト１０に出力する。
【００４７】
本実施形態によれば、ＨＴＭＬ文書集合とフィルタリング結果として残したい目的のページのサンプルとなるＵＲＬあるいは、規制対象としたいページのサンプルとなるＵＲＬのリストである基本ＵＲＬリストを用意するだけで、追加するＵＲＬを自動的に決定することができる。
【００４８】
なお、以上説明した各部２，５，７，９からなる処理は専用のハードウェアにより実現される以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【００４９】
【発明の効果】
以上説明したように本発明は、インターネット上から収集したＨＴＭＬ文書を解析し、各ＨＴＭＬ文書におけるハイパーリンク先のＵＲＬの共起情報を抽出し、あらかじめサンプルとして与えておいたＵＲＬとの共起関係をもとに評価値をつけることにより、サンプルと類似の内容のＵＲＬを自動的に追加でき、ＵＲＬリストを拡張できるという効果がある。
【図面の簡単な説明】
【図１】本発明の一実施形態の情報フィルタ用ＵＲＬリスト拡張装置のブロック図である。
【図２】図１に示したＨＴＭＬ文書ベース１中のＨＴＭＬ文書の一例を示す図である。
【図３】図１に示したリンク情報ベース３中のＵＲＬリストの一例を示す図である。
【図４】図１に示した基本ＵＲＬリスト４中のＵＲＬリストの例の一部を示す図である。
【図５】図１に示した共起情報メモリ６中のＵＲＬとその評価値のリストの例の一部を示す図である。
【図６】図１に示した追加ＵＲＬリスト１０中のＵＲＬリストの例の一部を示す図である。
【図７】図１の情報フィルタ用ＵＲＬリスト拡張装置の動作概要を示すフローチャートである。
【図８】図１の情報フィルタ用ＵＲＬリスト拡張装置の動作の詳細を示すフローチャートである。
【符号の説明】
１    ＨＴＭＬ文書ベース
２    リンク情報抽出部
３    リンク情報ベース
４    基本ＵＲＬリスト
５    共起状態解析部
６    共起情報メモリ
７    追加ＵＲＬ決定部
８    追加ＵＲＬ一時保存メモリ
９    追加ＵＲＬリスト生成部
１０    追加ＵＲＬリスト
１０１〜１０５    ステップ
２０１〜２１１    ステップ
【図１】
0003977632.tif 000004
【図２】
0003977632.tif 000005
【図３】
0003977632.tif 000006
【図４】
0003977632.tif 000007
【図５】
0003977632.tif 000008
【図６】
0003977632.tif 000009
【図７】
0003977632.tif 000010
【図８】
0003977632.tif 000011